(57)【要約】【課題】画像記録装置において、装置構成を複雑化することなく、記録処理条件に応じて排版時のクランプの解除位置を容易に変更可能とする。【解決手段】刷版Ｐを巻き付けた状態で保持するドラム２に設けられ、刷版の前端部Ｐａおよび後端部Ｐｂをそれぞれ固定するフロントクランプバー２１およびリアクランプバー４１と、これらフロントクランプバーおよびリアクランプバーの開閉動作をそれぞれ実行するフロント開閉板８およびリア開閉板９とを備えた画像記録装置１において、刷版に対する画像記録処理が所定の処理条件を満たす場合、ドラムに対する刷版の巻き付けが解除される際に、リア開閉板９によってフロントクランプバー２１の開閉動作を行う構成とする。【選択図】図２８
2010173108.tif 000002
【特許請求の範囲】
【請求項１】
画像が記録される刷版を巻き付けた状態で保持するドラムと、
前記刷版の巻き付け方向の前端部を前記ドラムに固定するフロントクランプ部材と、
前記刷版の巻き付け方向の後端部を前記ドラムに固定するリアクランプ部材と、
前記フロントクランプ部材の前記刷版に対する固定状態と解除状態との切替動作を行うフロントクランプ駆動手段と、
前記フロントクランプ駆動手段とは異なる位置において、前記リアクランプ部材の前記刷版に対する固定状態と解除状態との切替動作を行うリアクランプ駆動手段と、
前記フロントクランプ駆動手段および前記リアクランプ駆動手段の動作をそれぞれ制御するクランプ制御手段と
を備え、
前記クランプ制御手段は、前記刷版に対する画像記録処理が所定の処理条件を満たす場合、前記ドラムに対する前記刷版の巻き付けが解除される際に、前記フロントクランプ部材の前記切替動作を前記リアクランプ駆動手段に行わせることを特徴とする画像記録装置。
【請求項２】
前記処理条件には、前記ドラムの巻き付け方向における前記刷版の長さに関する条件が含まれることを特徴とする請求項１に記載の画像記録装置。
【請求項３】
前記ドラムに対する巻き付けが解除されて前記刷版が繰り出される複数の排出位置にそれぞれ設けられた排版受部材を更に備え、
前記処理条件には、前記排出位置に関する条件が含まれることを特徴とする請求項１または請求項２に記載の画像記録装置。
【請求項４】
画像が記録される刷版を巻き付けた状態で保持するドラムと、
前記刷版の巻き付け方向の前端部を前記ドラムに固定するフロントクランプ部材と、
前記刷版の巻き付け方向の後端部を前記ドラムに固定するリアクランプ部材と、
前記フロントクランプ部材の前記刷版に対する固定状態と解除状態との切替動作を行うフロントクランプ駆動手段と、
前記フロントクランプ駆動手段よりも前記刷版の排版方向に位置し、前記リアクランプ部材の前記刷版に対する固定状態と解除状態との切替動作を行うリアクランプ駆動手段と、
前記刷版を前記ドラムから繰り出して排版受部材に排版する際に、前記刷版の繰り出し方向の長さが、前記フロントクランプ駆動手段による前記フロントクランプ部材の解除位置において前記刷版の一端を解放しても前記刷版の他端が前記排版受部材に排版可能な位置に到達しない長さの場合に、前記フロントクランプ部材の解除状態への切替動作を前記リアクランプ駆動手段に行わせることを特徴とする画像記録装置。
【請求項５】
前記フロントクランプ駆動手段は、前記ドラムに向けて進退移動可能に設けられ、前記フロントクランプ部材の側方に設けた第１カム部材を押圧または離間することにより前記フロントクランプ部材の前記切替動作を行い、
前記リアクランプ駆動手段は、前記ドラムに向けて進退移動可能に設けられ、前記第１カム部材を押圧または離間することにより前記フロントクランプ部材の前記切替動作を行い、前記リアクランプ部材の側方に設けた第２カム部材を押圧または離間することにより前記リアクランプ部材の前記切替動作を行うことを特徴とする請求項１から請求項４のいずれかに記載の画像記録装置。
【請求項６】
前記リアクランプ駆動手段は、前記第１カム部材を押圧する第１カム面と前記第２カム部材を押圧する第２カム面とを有することを特徴とする請求項５に記載の画像記録装置。
【請求項７】
前記第１カム面と前記第２カム面は、前記ドラムの外周面と同心な円弧状の形状を有し、前記２つのカム面の形成位置は異なる高さとすることを特徴とする請求項６に記載の画像記録装置。
【発明の詳細な説明】
【技術分野】
【０００１】
本発明は、ドラムに巻き付けた画像記録用のプレートにレーザ光を照射して画像記録を行う画像記録装置に関する。
【背景技術】
【０００２】
従来、平板印刷での画像記録媒体として表面に感材をコーティングした金属製のプレート（以下、刷版という。）にレーザ光を照射して画像を記録する画像記録装置においては、刷版を巻き付けて保持させたドラムを回転させると共に、記録ヘッドをドラムの軸方向に移動させることによって刷版に画像を記録する構成が採用されており、これにより高精度な版面を高速に形成することが可能となっている。
【０００３】
この種の画像記録装置では、記録処理の最中に刷版がずれないように確実に固定する必要がある。そこで、ドラムへの巻き付け方向における刷版の前後端が、当該前後端の位置にそれぞれ対応して設置されたクランプとドラムの外周面との間に挟持される固定方式が普及している。例えば、刷版を保持するドラムに設けられ、当該刷版の前後端をそれぞれ固定する前後２つのクランプユニットと、当該クランプユニットに設けられたカムローラと係合することにより、当該クランプユニットの刷版に対する締め付け状態と解除状態との間の切り替えをそれぞれ行う２つのカム部材とを備えた画像記録装置が知られている（特許文献１参照）。
【０００４】
また、例えば、刷版を保持するドラムに設けられ、当該刷版の先端を固定する先端クランプと、ドラムの外周面に沿って移動可能に設けられ、刷版の後端を固定する後端クランプと、先端クランプの固定ならびに後端クランプの固定および解除を行う第１駆動装置と、先端クランプの解除を行う第２駆動装置とを備えた画像記録装置が知られている（特許文献２参照）。
【特許文献１】特開２０００−１１２１４２号公報
【特許文献２】特開２００３−１８２０３３号公報
【発明の開示】
【発明が解決しようとする課題】
【０００５】
ところで、上記のような画像記録装置では、サイズ（特にドラムへの巻き付け方向における刷版の長さ）の異なる複数種類の刷版を記録処理することや、複数の排版位置（すなわち、刷版を排出するための複数の排版台等）に対して記録処理後の刷版を選択的に排出することが必要とされる場合がある。このような場合、刷版のサイズや排版位置に応じて、排版時のクランプの解除位置（すなわち、クランプ解除時のドラムの回転位置）を変更する必要が生じ得る。
【０００６】
しかしながら、上記特許文献１に記載された従来技術は、２つのカム部材が所定位置において前後２つのクランプユニットをそれぞれ開閉する構成であるため、クランプの解除位置を変更することは困難であった。また、上記特許文献２に記載された従来技術についても、第１駆動装置が所定位置において先端クランプの固定ならびに後端クランプの固定および解除を行うとともに、第２駆動装置が所定位置において先端クランプの解除を行う構成であるため、クランプの解除位置を変更することは困難であった。
【０００７】
上記特許文献１，２に記載された従来技術では、排版時のクランプの解除位置を変更可能なように、カム部材や駆動装置を新たに追加することも考えられるが、その場合、配置スペースの制約により設計の自由度が損なわれるとともに、装置構成が複雑化して装置コストが嵩むという問題が生じる。
【０００８】
本発明は、このような従来技術の課題を鑑みて案出されたものであり、装置構成を複雑化することなく、記録処理条件に応じて排版時のクランプの解除位置を容易に変更可能とした画像記録装置を提供することを主目的とする。
【課題を解決するための手段】
【０００９】
本発明の画像記録装置は、画像が記録される刷版を巻き付けた状態で保持するドラムと、前記刷版の巻き付け方向の前端部を前記ドラムに固定するフロントクランプ部材と、前記刷版の巻き付け方向の後端部を前記ドラムに固定するリアクランプ部材と、前記フロントクランプ部材の前記刷版に対する固定状態と解除状態との切替動作を行うフロントクランプ駆動手段と、前記フロントクランプ駆動手段とは異なる位置において、前記リアクランプ部材の前記刷版に対する固定状態と解除状態との切替動作を行うリアクランプ駆動手段と、前記フロントクランプ駆動手段および前記リアクランプ駆動手段の動作をそれぞれ制御するクランプ制御手段とを備え、前記クランプ制御手段は、前記刷版に対する画像記録処理が所定の処理条件を満たす場合、前記ドラムに対する前記刷版の巻き付けが解除される際に、前記フロントクランプ部材の前記切替動作を前記リアクランプ駆動手段に行わせることを特徴とする。
【発明の効果】
【００１０】
このように本発明によれば、ドラムに対する刷版の巻き付けが解除される際に、フロントクランプ駆動手段とは異なる位置に設けられたリアクランプ駆動手段によって、フロントクランプ部材の刷版に対する固定状態と解除状態との切替動作を行わせる構成としたため、装置構成を複雑化することなく、処理条件に応じて排版時のクランプの解除位置を容易に変更することが可能となるという優れた効果を奏する。
【発明を実施するための最良の形態】
【００１１】
上記課題を解決するためになされた第１の発明は、画像が記録される刷版を巻き付けた状態で保持するドラムと、前記刷版の巻き付け方向の前端部を前記ドラムに固定するフロントクランプ部材と、前記刷版の巻き付け方向の後端部を前記ドラムに固定するリアクランプ部材と、前記フロントクランプ部材の前記刷版に対する固定状態と解除状態との切替動作を行うフロントクランプ駆動手段と、前記フロントクランプ駆動手段とは異なる位置において、前記リアクランプ部材の前記刷版に対する固定状態と解除状態との切替動作を行うリアクランプ駆動手段と、前記フロントクランプ駆動手段および前記リアクランプ駆動手段の動作をそれぞれ制御するクランプ制御手段とを備え、前記クランプ制御手段は、前記刷版に対する画像記録処理が所定の処理条件を満たす場合、前記ドラムに対する前記刷版の巻き付けが解除される際に、前記フロントクランプ部材の前記切替動作を前記リアクランプ駆動手段に行わせる構成とする。
【００１２】
これによると、ドラムに対する刷版の巻き付けが解除される際に、フロントクランプ駆動手段とは異なる位置に設けられたリアクランプ駆動手段によって、フロントクランプ部材の刷版に対する固定状態と解除状態との切替動作を行わせる構成としたため、装置構成を複雑化することなく、処理条件に応じて排版時のクランプの解除位置を容易に変更することが可能となる。
【００１３】
また、第２の発明は、前記処理条件には、前記ドラムの巻き付け方向における前記刷版の長さに関する条件が含まれる構成とする。
【００１４】
これによると、排版時のクランプの解除位置をドラムの巻き付け方向における刷版の長さに応じて変更することができるため、サイズの異なる複数種類の刷版についての排版動作（ドラムに対する巻き付けが解除されて刷版が繰り出される動作）を適切に実行することが可能となる。
【００１５】
また、第３の発明は、前記ドラムに対する巻き付けが解除されて前記刷版が繰り出される複数の排出位置にそれぞれ設けられた排版受部材を更に備え、前記処理条件には、前記排出位置に関する条件が含まれる構成とする。
【００１６】
これによると、排版時のクランプの解除位置を排版位置に応じて変更することができるため、複数の異なる排版位置に対して排版動作を適切に実行することが可能となる。
【００１７】
また、第４の発明は、画像が記録される刷版を巻き付けた状態で保持するドラムと、前記刷版の巻き付け方向の前端部を前記ドラムに固定するフロントクランプ部材と、前記刷版の巻き付け方向の後端部を前記ドラムに固定するリアクランプ部材と、前記フロントクランプ部材の前記刷版に対する固定状態と解除状態との切替動作を行うフロントクランプ駆動手段と、前記フロントクランプ駆動手段よりも前記刷版の排版方向に位置し、前記リアクランプ部材の前記刷版に対する固定状態と解除状態との切替動作を行うリアクランプ駆動手段と、前記刷版を前記ドラムから繰り出して排版受部材に排版する際に、前記刷版の繰り出し方向の長さが、前記フロントクランプ駆動手段による前記フロントクランプ部材の解除位置において前記刷版の一端を解放しても前記刷版の他端が前記排版受部材に排版可能な位置に到達しない長さの場合に、前記フロントクランプ部材の解除状態への切替動作を前記リアクランプ駆動手段に行わせる構成とする。
【００１８】
これによると、排版時のクランプの解除位置を刷版の長さと排版位置とに応じて変更することができるため、サイズの異なる複数種類の刷版について複数の異なる排版位置に対しての排版動作（ドラムに対する巻き付けが解除されて刷版が繰り出される動作）を適切に実行することが可能となる。
【００１９】
また、第５の発明は、前記フロントクランプ駆動手段は、前記ドラムに向けて進退移動可能に設けられ、前記フロントクランプ部材の側方に設けた第１カム部材を押圧または離間することにより前記フロントクランプ部材の前記切替動作を行い、前記リアクランプ駆動手段は、前記ドラムに向けて進退移動可能に設けられ、前記第１カム部材を押圧または離間することにより前記フロントクランプ部材の前記切替動作を行い、前記リアクランプ部材の側方に設けた第２カム部材を押圧または離間することにより前記リアクランプ部材の前記切替動作を行う構成とする。
【００２０】
これによると、フロントクランプ駆動手段およびリアクランプ駆動手段の構成を複雑化することなく、排版時のクランプの解除位置を容易に変更することが可能となる。
【００２１】
また、第６の発明は、前記リアクランプ駆動手段は、前記第１カム部材を押圧する第１カム面と前記第２カム部材を押圧する第２カム面とを有する構成とする。
【００２２】
これによると、フロントクランプ部材およびリアクランプ部材の切替動作を異なるカム面を用いてそれぞれ実行する構成としたため、リアクランプ部材の切替動作の制約を受けることなくフロントクランプ部材の切替動作を適切に実行することが可能となる。
【００２３】
また、第７の発明は、前記第１カム面と前記第２カム面は、前記ドラムの外周面と同心な円弧状の形状を有し、前記２つのカム面の形成位置は異なる高さとする。
【００２４】
これによると、カム面５１ｂ（第１カム面）が形成される位置は、カム面５１ａ（第２カム面）とは異なる高さであるため、リア開閉板９を所定の高さまで下降させたときリアクランプ部材とフロントクランプ部材とを異なる角度で開かせることが可能となる。
【００２５】
以下、本発明の実施の形態について図面を参照しながら説明する。
【００２６】
図１は本発明の実施形態に係る画像記録装置１の構成図であり、図２は図１中のドラム２周辺の構成を示す斜視図である。画像記録装置１は、いわゆるダイレクト刷版に用いられ、新聞紙面用の印刷版となる刷版Ｐをドラム２に巻き付けて保持させた状態で、ドラムモータ３により駆動ベルトＢを介してドラム２を回転させると共に、レーザーアレイを備えた記録ヘッド４をリニアモータでドラム２の軸方向に走行させることで、刷版Ｐにレーザ光を照射して画像を記録するものである。ドラム２には、刷版Ｐの前端部Ｐａおよび後端部Ｐｂをそれぞれ固定するフロントクランプユニット５およびリアクランプユニット６が設けられている。また、フロントクランプユニット５の近傍には、刷版Ｐをドラム２の外周面に向けて押圧するプレスローラ７が設けられている。
【００２７】
ドラム２の前上方および中央上方には、それぞれフロント開閉板（フロントクランプ駆動手段）８およびリア開閉板（リアクランプ駆動手段）９が設けられている。フロント開閉板８は、図示しない昇降装置（エアシリンダ等）によって、上下方向に進退移動可能に設けられており、フロントクランプユニット５の刷版Ｐに対する固定状態と解除状態との切替動作を行う。同様に、リア開閉板９は、図示しない昇降装置によって、フロント開閉板８とは独立して上下方向に進退移動可能に設けられており、リアクランプユニット６の刷版Ｐに対する固定状態と解除状態との切替動作を行う。また、リア開閉板９は、刷版Ｐに対する画像記録処理が所定の処理条件を満たす場合、フロントクランプユニット５の刷版Ｐに対する固定状態と解除状態との切替動作を行う。
【００２８】
画像記録装置１の前側には、刷版Ｐが挿入される挿入台１１が設けられており、この挿入台１１の後方に連なるように給版台１２が設けられている。給版台１２は、ドラム２の上方に配置され、その前端側をドラム２に近接させるように回転軸１２ａを中心として傾動自在に設けられている。また、給版台１２は、その上面に設けられた図示しない搬送ローラにより、刷版Ｐを前後方向に搬送可能である。挿入台１１および給版台１２は、後述するように、それぞれ記録処理後の刷版Ｐを排出するための排出台および排版台（第１の排版受部材）としても機能する。
【００２９】
また、ドラム２の後上方には、排版台（第２の排版受部材）１３が設けられている。排版台１３は、給版台１２と同様の搬送ローラを備えており、画像記録装置１の後方に設置される自動現像機１４の版挿入口１５に向けて刷版Ｐを搬送可能である。自動現像機１４は、画像記録装置１における刷版Ｐの記録処理後に、強アルカリ性の水溶液からなる現像液を使用して現像処理を行うものであり、現像処理後の刷版は、重ねられるようにしてストッカ１６に立て掛けられる。
【００３０】
図３はフロントクランプユニット５およびフロント開閉板８の要部を示す斜視図であり、図４はフロントクランプユニット５の開閉動作を示す拡大側面図である。図３に示すように、フロントクランプユニット５は、ドラム２の両端部間に掛け渡されるようにしてその軸方向に延在する板状のフロントクランプバー（フロントクランプ部材）２１と、フロントクランプバー２１の両端に回動アーム２２を介して取り付けられたカムローラ２３（第１カム部材）とを有する。
【００３１】
フロント開閉板８は、ドラム２側に位置する略三角形状の本体部２５を有しており、この本体部２５の傾斜した側縁には、カムローラ２３の周面に当接して押圧するカム面２５ａが形成されている。また、フロント開閉板８は、本体部２５の上側が昇降装置に取り付けられることにより、カムローラ２３を押圧する作動位置とカムローラ２３から離反する退避位置との間で、図３中の矢印方向に進退移動する。
【００３２】
図４（Ａ）に示すように、回動アーム２２は、ドラム２側に固定された軸３０を中心に回動可能に設けられている。回動アーム２２の一端は、バネ３１を介してドラム２側に連結されており、これにより、バネ３１の付勢力を利用してフロントクランプバー２１が閉状態（すなわち、ドラム２の外周面側に移動した状態）に保持される。
一方、フロント開閉板８がドラム２の回転に連動して退避位置から作動位置まで下降し、そのカム面２５ａがカムローラ２３の周面に当接し押圧することで、図４（Ｂ）に示すように、バネ３１の付勢力に抗して回動アーム２２が矢印方向に回動し、フロントクランプバー２１が開状態とされる。
【００３３】
図５はドラム２に設置された状態のリアクランプユニット６の要部を示す斜視図であり、図６はリア開閉板９の斜視図であり、図７はリア開閉板９とカムローラ２３（第１カム部材）およびカムローラ４３（第２カム部材）との位置関係を示す正面図であり、図８はリアクランプユニット６の開閉動作を示す拡大側面図である。
【００３４】
図５に示すように、リアクランプユニット６は、フロントクランプユニット５と同様に、ドラム２の軸方向に延在する板状のリアクランプバー（リアクランプ部材）４１と、リアクランプバー４１の両端に回動アーム４２を介して取り付けられたカムローラ４３（第２カム部材）とを有する。リアクランプバー４１の中間部には、複数の摺動部材４４が所定の間隔をおいて設けられている。摺動部材４４は、ドラム２の外周面に周方向に設けられた複数の摺動溝４５に対して、それぞれ矢印Aのように摺動自在に取り付けられており、これにより、ドラム２への巻き付け方向における刷版Ｐの長さ（以下、単に刷版Ｐの長さという。）に応じて、リアクランプバー４１をドラム２の適切な位置に移動させることが可能となっている。
【００３５】
図６（Ａ）にも示すように、リア開閉板９は、ドラム側に位置する本体部５１を有しており、本体部５１の弧状の底縁には、カムローラ４３（第２カム部材）の周面に当接して押圧するカム面（第２カム面）５１ａが形成されている。また、リア開閉板９は、本体部５１の上側に位置する取付部５２が昇降装置に取り付けられることにより、カムローラ４３に当接して押圧する作動位置とカムローラ４３から離反する退避位置との間で、図５中の矢印Bのようにに進退移動する。図６（Ｂ）にも示すように、本体部５１の背面側（すなわち、ドラム２側）に設けられた段差部には、フロントクランプユニット５のカムローラ２３（第１カム部材）の周面に当接して押圧するカム面（第１カム面）５１ｂが形成されている。図７に示すように、カムローラ４３およびカムローラ２３は、それぞれリア開閉板９のカム面５１ａおよびカム面５１ｂに対して当接可能なように、ドラム２の軸方向に異なる位置に配置されている。
【００３６】
図８（Ａ）に示すように、回動アーム４２は、ドラム側２に固定された軸５５を中心に回動可能に設けられている。回動アーム４２の一端は、バネ５６を介してドラム２側に連結されており、これにより、バネ５６の付勢力を利用してリアクランプバー４１が閉状態に保持される。一方、リア開閉板９がドラム２の回転に連動して退避位置から作動位置まで下降し、そのカム面５１ａがカムローラ４３の周面に当接して押圧することで、図８（Ｂ）に示すように、バネ５６の付勢力に抗して回動アーム４２が矢印方向に回動し、リアクランプバー４１が開状態とされる。また、カム面５１ｂがカムローラ２３の周面に当接して押圧することで、図４（Ｂ）の場合と同様に、バネ３１の付勢力に抗して回動アーム２２が回動し、フロントクランプバー２１が開状態とされる。
【００３７】
なお、カム面５１ａおよびカム面５１ｂは、ドラム２の周方向に沿った輪郭（すなわち、ドラム２の外周面と同心な円弧状の輪郭）を有し、ドラム２の回転に関わらずリアクランプバー４１およびフロントクランプバー２１の開き角度をそれぞれ一定に保持することが可能である。
【００３８】
図９は画像記録装置１の制御系のブロック図である。ここでは、ドラム２の回転位置などを検出するセンサ（ロータリエンコーダ等）の信号が入力されるセンサ入力部６１と、ドラムモータ３の動作を制御するモータ制御部６２と、記録ヘッド４及びリニアモータを制御する記録制御部６３と、給版台１２による刷版Ｐの供給（以下、給版という。）動作ならびに給版台１２および排版台１３による刷版の排出（以下、排版という）動作を制御する搬送制御部６４と、フロントクランプバー２１およびリアクランプバー４１の開閉動作を制御するクランプ制御部（クランプ制御手段）６５と、刷版Ｐに記録される画像データを生成するホスト（外部コンピュータ）６６が接続されるインタフェイス６７と、ユーザ設定情報や各種動作指令が入力される操作部６８と、刷版Ｐの種類（製造メーカ等を含む）やサイズに対して、フロントクランプバー２１およびリアクランプバー４１の開閉位置（すなわち、ドラム２の回転位置）やフロント開閉板８およびリア開閉板９の下降位置を定めた関係テーブルなどを格納するＲＯＭ６９と、前記各部を制御する主制御部７０とを有している。
【００３９】
上記画像記録装置１は、刷版Ｐの長さおよび排版位置に応じて設定された異なる動作モード１〜３に従って、給版、ドラム２への巻き付けおよび排版等からなる刷版Ｐの搬送動作を実行する。動作モード１では、全サイズの刷版Ｐを処理対象とし、記録処理後の刷版Ｐを給版台１２に排出する。本実施形態において、傾動した状態にある給版台１２のドラム２側の端部と、排版時におけるフロントクランプバー２１の開閉位置との距離（以下、距離Ａという。）は、排版時に通常位置で（すなわち、フロント開閉板８によって）フロントクランプバー２１を開状態としても全サイズの刷版Ｐを搬送可能な長さに設定されている。
【００４０】
また、動作モード２では、比較的長い（ここでは、長さ４００ｍｍを超える長さ）刷版（以下、大サイズ刷版という。）を処理対象とし、記録処理後の刷版Ｐを排版台１３に排出する。本実施形態において、排版台１３のドラム２側端部と排版時におけるフロントクランプバー２１の開閉位置との距離は、ドラム２周辺の設置スペースの制約から上記距離Ａよりも大きく設定されている。このため、大サイズ刷版の長さは、排版時にフロントクランプバー２１をフロント開閉板８により開閉する場合に刷版Ｐの一端が排版台１３で搬送可能な位置まで到達し得る範囲内の長さである必要がある。
【００４１】
また、動作モード３では、比較的短い（ここでは、長さ４００ｍｍ以下の長さ）刷版（以下、小サイズ刷版という。）を処理対象とし、記録処理後の刷版Ｐを排版台１３に排出する。この場合、小サイズ刷版は、排版時にフロントクランプバー２１をフロント開閉板８により開閉する場合に刷版Pの一端が排版台１３で搬送可能な位置まで到達しないが、フロントクランプバー２１をリア開閉板９により開閉する場合には刷版Ｐの一端は排版台１３で搬送可能な位置まで到達する。
【００４２】
本実施形態では、大サイズ刷版として、幅1160mm×長さ940mmのサイズの刷版を用い、小サイズ刷版として、幅350mm×長さ370mmの刷版を用いるが、これに限らず、画像記録装置１は種々のサイズの刷版を処理することが可能である。また、大サイズ刷版および小サイズ刷版に該当する刷版の長さの範囲は、特に、排版時におけるフロントクランプバー２１の開閉位置と排版台１３との相対位置によって、すなわち、フロントクランプバー２１の開閉位置を変更せずに排版が可能か否かを基準として設定される。以下、動作モード１〜３の詳細について説明する。
【００４３】
図１０から図１３は画像記録装置１の動作手順を示す一連のフロー図であり、図１４から図１９は動作モード１における刷版Ｐの搬送動作要領を示す説明図であり、図２０から図２３は動作モード２における刷版Ｐの搬送動作要領を示す説明図であり、図２４から図２９は動作モード３における刷版Ｐの搬送動作要領を示す説明図である。ここで、図１０は、動作モード１〜３に共通する給版、ドラム２への巻き付け、および画像記録の手順について示しており、図１１、図１２および図１３は、それぞれ動作モード１〜３に対応する排版の手順について示している。また、図１４〜図１９は、大サイズ刷版について示しているが、小サイズ刷版の場合も同様である。
【００４４】
図１０に示すフローにおいて、まず、画像記録装置１は、ユーザが入力したユーザ設定情報を取得し（Ｓ１０１）、図１４に示すように、挿入台１１から供給された刷版Ｐを給版台１２に挿入する（Ｓ１０２）。この場合、ユーザ設定情報には、少なくとも刷版Ｐの長さおよび排版位置の情報が含まれるが、刷版Ｐの長さの情報については、ユーザの入力によらず、給版台１２に刷版Ｐの長さを測定するためのセンサを設けることで、取得することも可能である。
【００４５】
続いて、画像記録装置１は、刷版Ｐの長さに応じてリアクランプバー４１を適切な位置に移動させるとともに、フロントクランプバー２１がドラム２の前側上部にくる原点位置（すなわち、刷版Ｐの取付開始位置）までドラム２を回転移動させる（Ｓ１０３）。ドラム２の回転位置は、ドラム２に付設されたエンコーダにより検出される。
【００４６】
次に、画像記録装置１は、図１５に示すように、フロント開閉板８を作動位置に移動させてフロントクランプバー２１を開状態とし（Ｓ１０４）、水平状態にある給版台１２の前側を下方に傾け、搬送ローラによりドラム２側に刷版Ｐを搬送する（Ｓ１０５）。そして、刷版Ｐの前端部Ｐａがフロントクランプバー２１とドラム２外周面との間に挿入されると、画像記録装置１は、図１６に示すように、フロント開閉板８を再び退避位置に移動させてフロントクランプバー２１を閉状態とし、刷版Ｐの前端部Ｐａを固定する（Ｓ１０６）。このとき、画像記録装置１は、プレスローラ７を図１５に示す退避位置から図１６に示す作動位置へと移動させ、これにより、刷版Ｐをドラム２の外周面に向けて押圧して刷版Ｐをドラム２に巻き付ける（Ｓ１０７）。プレスローラ７の移動は、フロント開閉板８やリア開閉板９と同様に、図示しない昇降装置によって行われる。
【００４７】
次に、画像記録装置１は、図１７に示すように、リア開閉板９を作動位置に移動させてリアクランプバー４１を開状態に移行させながら、ドラム２を巻き付け方向に回転させる（Ｓ１０８）。そして、ドラム２が図１８に示す巻き付け終了位置まで回転すると、画像記録装置１は、図１９に示すように、リア開閉板９を再び退避位置に移動させてリアクランプバー４１を閉状態とし、刷版Ｐの後端部Ｐｂを固定する（Ｓ１０９）。さらに、画像記録装置１は、プレスローラ７を作動位置から再び退避位置へと移動させるとともに（Ｓ１１０）、給版台１２を再び水平状態に戻す（Ｓ１１１）。以上の動作により、給版および刷版Ｐのドラム２への巻き付けが完了すると、画像記録装置１は、記録ヘッド４を用いて刷版Ｐの画像記録処理を実施し（Ｓ１１２）、その後、ドラム２を刷版Ｐの繰り出し位置（すなわち、刷版Ｐの巻き外しを開始する位置）で停止させる。
【００４８】
次に、図１１に示すフローにおいて、画像記録装置１は、先のステップＳ１０１で取得したユーザ設定情報に基づき、動作モード１を実行すべきか否かを判定する（Ｓ２０１）。ここで、画像記録装置１は、排版位置として給版台１２が指定されている場合に、動作モード１を実行すべきと判定する（ＹＥＳ）。図示は省略するが、この動作モード１に関する排版は、図１４から図１９に示した搬送動作要領と概ね逆の態様で実施される。
【００４９】
動作モード１において、まず、画像記録装置１は、水平状態にある給版台１２の前端側を下方に傾け（Ｓ２０２）、プレスローラ７を作動位置に移動する（Ｓ２０３）。続いて、画像記録装置１は、リア開閉板９を作動位置に移動させてカム面５１ａをカムローラ４３に当接して押圧させることで、リアクランプバー４１を開状態とする（Ｓ２０４）。さらに、画像記録装置１は、カム面５１ａに沿ってカムローラ４３を摺動させてリアクランプバー４１を閉状態に移行させながら、ドラム２を繰り出し方向（すなわち、巻き付け方向と逆の方向）に回転させる（Ｓ２０５）。このとき、刷版Ｐの後端部Ｐｂは、ドラム２の外周面を離れて、給版台１２方向に向かう。さらに、画像記録装置１は、プレスローラ７を退避位置に移動させる（Ｓ２０６）。
【００５０】
刷版Ｐの後端部Ｐｂが給版台１２に到達すると、画像記録装置１は、搬送ローラにより給版台１２側（すなわち、反ドラム２側）への刷版Ｐの搬送を開始するとともに、フロントクランプバー２１を開状態として刷版Ｐの前端部Ｐａの固定を解除する（Ｓ２０７）。続いて、画像記録装置１は、給版台１２を再び水平状態に戻し（Ｓ２０８）、ドラム２を繰り出し終了位置で停止させる（Ｓ２０９）。最終的に、画像記録装置１が、給版台１２から挿入台１１に刷版Ｐを排出させると（Ｓ２１０）、一連の動作が完了する。
【００５１】
また、ステップ２０１において、画像記録装置１は、動作モード１を実行すべきでないと判定すると（ＮＯ）、図１２に示すフローにおいて、先のステップＳ１０１で取得したユーザ設定情報に基づき、動作モード２を実行すべきか否かを判定する（Ｓ３０１）。ここで、画像記録装置１は、刷版Ｐが大サイズ刷版であり、かつ排版位置として排版台１３が指定されている場合に、動作モード２を実行すべきと判定する（ＹＥＳ）。なお、画像記録装置１は、動作モード２の開始時には図１９に示した状態と同様の状態にある。
【００５２】
動作モード２においては、まず、画像記録装置１は、図２０に示すように、プレスローラ７を作動位置に移動させるとともに（Ｓ３０２）、リア開閉板９を作動位置に移動させてカム面５１ａをカムローラ４３に当接して押圧させることで、リアクランプバー４１を開状態とする（Ｓ３０３）。さらに、画像記録装置１は、図２１に示すように、カム面５１ａに沿ってカムローラ４３を摺動させてリアクランプバー４１を閉状態に移行させながら、ドラム２を繰り出し方向に回転させる（Ｓ３０４）。このとき、刷版Ｐの後端部Ｐｂは、ドラム２の外周面を離れて排版台１３方向に向かい、その後、図２２に示すように、刷版Ｐの後端部Ｐｂが排版台１３に到達すると、搬送ローラにより自動現像機１４側（すなわち、反ドラム２側）への刷版Ｐの搬送が開始される。
【００５３】
その後、画像記録装置１は、ドラム２を原点位置（ここでは、フロントクランプバー２１の開閉位置）まで回転移動させ、図２３に示すように、プレスローラ７を退避位置に移動させる（Ｓ３０５）。このとき、画像記録装置１は、排版台１３上における刷版Ｐの搬送を継続しつつ、フロント開閉板８によってフロントクランプバー２１を開状態とし、刷版Ｐの前端部Ｐａの固定を解除する（Ｓ３０６）。最終的に、排版台１３から自動現像機１４側に刷版Ｐが排出され（Ｓ３０７）、一連の動作が完了する。
【００５４】
なお、ドラム２は、一連の動作が完了した時点で、原点位置で停止した状態のまま保持され、次の給版を待つ待機状態となる。さらに、動作モード２では、動作モード１の場合のように給版台１２を刷版Ｐの排出に使用しないため、次の給版タイミングを早めることができ、画像記録装置１の処理能力が向上するという利点がある。給版台１２を使用しないことにより次の給版タイミングを早めることができる点については、後述する動作モード３の場合も同様である。
【００５５】
また、ステップ３０１において、画像記録装置１は、動作モード２を実行すべきでないと判定すると（Ｓ３０１：ＮＯ）、図１３に示すように、動作モード３を実行する。動作モード３においては、まず、画像記録装置１は、図２４に示すように、プレスローラ７を作動位置に移動させるとともに（Ｓ４０１）、リア開閉板９を作動位置に移動させてカム面５１ａをカムローラ４３に当接して押圧させることで、リアクランプバー４１を開状態とする（Ｓ４０２）。さらに、画像記録装置１は、図２５に示すように、カム面５１ａに沿ってカムローラ４３を摺動させてリアクランプバー４１を閉状態に移行させながら、ドラム２を繰り出し方向に回転させる（Ｓ４０３）。このとき、刷版Ｐの後端部Ｐｂは、ドラム２の外周面を離れて排版台１３方向に向かい、その後、画像記録装置１は、図２６に示すように、プレスローラ７を退避位置に移動させる（Ｓ４０４）。
【００５６】
動作モード３では、小サイズ刷版を処理するため、図２７に示すように、カムローラ２３がフロント開閉板８と当接可能な位置までドラム２が回転移動しても、刷版Ｐの後端部Ｐｂは排版台１３で搬送可能な位置まで到達しない。そこで、動作モード３では、図２８に示すように、フロントクランプバー２１がドラム２の原点位置を超えてドラム２の頂部付近に位置するように繰り出し終了位置が設定される。そして、画像記録装置１は、その繰り出し終了位置においてドラム２を停止するとともに、リア開閉板９を作動位置に移動させてカム面５１ｂをカムローラ２３に当接して押圧させることで、フロントクランプバー２１を開状態とする（Ｓ４０５）。次に、図２９に示すように、刷版Pが排版台１３に繰り出されるとリア開閉板９を再び退避位置に移動させてフロントクランプバー２１を閉状態とする。
【００５７】
なお、画像記録装置１では、図６に示したように、カム面５１ｂが形成される段差部は、カム面５１ａとは異なる高さ（すなわち、本体部５１の高さ方向の略中間位置）に設けられているため、リア開閉板９を同じ高さまで下降させても両者の異なる開き角度が実現可能となっている。
【００５８】
本実施例では、リアクランプバー４１を押圧するカム面５１ａよりもフロントクランプバー２１を押圧するカム面５１ｂの方を高い位置としているため、リアクランプバー４１の開き角度（例えば、６０°）に比べてフロントクランプバー２１の開き角度（例えば、２０°）が小さくなる。これは、給版されてくる刷版Pの前端を挟み込んだり繰り出されていく刷版Ｐの前端を解放するには、小さい開き角度で十分なためである。
【００５９】
その後、画像記録装置１は、排版台１３から自動現像機１４側に刷版Ｐを排出する（Ｓ４０６）。排版が終了すると、画像記録装置１は、ドラム２を原点位置まで回転移動させて次の給版を待つ待機状態とし（Ｓ４０７）、これにより、一連の動作が完了する。動作モード３では、ドラム２を原点位置まで戻す必要があるが、給版台１２を使用しないため次の給版タイミングを早めることができる。
【００６０】
このように、上記画像記録装置１では、排版の際に、フロント開閉板８と異なる位置に設けられたリア開閉板９により、刷版Ｐの前端部Ｐａを固定するフロントクランプバー２１の開閉動作を行わせる構成としたため、装置構成を複雑化することなく、処理条件に応じて排版時のフロントクランプバー２１の解除位置を容易に変更することが可能となる。
【００６１】
また、上記画像記録装置１では、排版時のフロントクランプバー２１の解除位置を刷版Ｐの長さに応じて変更する構成としたため、サイズの異なる複数種類の刷版Ｐの排版動作を適切に実行することが可能となる。さらに、上記画像記録装置１では、排版時のフロントクランプバー２１の解除位置を排版位置（すなわち、刷版Ｐの排出先が給版台１２または排版台１３のいずれとなるか）に応じて変更する構成としたため、複数の異なる排版位置に対して排版動作を適切に実行することが可能となる。
【００６２】
また、上記画像記録装置１では、カム部材として形成されたリア開閉板９により、リアクランプバー４１およびフロントクランプバー２１の開閉動作を行わせる構成としたため、リア開閉板９の構成を複雑化することなく、両者の開閉動作を実現することが可能となる。さらに、リア開閉板９に２つのカム面５１ａ，５１ｂを設ける構成としたため、フロントクランプバー２１の開閉動作の制約を受けることなくフロントクランプバー２１の開閉動作を適切に実行できるという利点もある。
【００６３】
なお、リア開閉板９は、図７に２点鎖線で示すように、カム面５１ｂが形成される段差部を省略した構成も可能である。この場合、カム面５１ａはカムローラ２３にも当接可能となり、これにより、フロントクランプバー２１の開閉動作が行われることになる。また、この場合、リアクランプバー４１とフロントクランプバー２１とに対し、それぞれ開動作を行う際のリア開閉板９の下降位置を異なる位置に設定することで、上述のようなフロントクランプバー２１の開き角度とリアクランプバー４１の開き角度とが異なる構成にも対応することが可能である。
【産業上の利用可能性】
【００６４】
本発明に係る画像記録装置は、装置構成を複雑化することなく、記録処理条件に応じて排版時のクランプの解除位置を容易に変更可能とし、ドラムに巻き付けた画像記録用のプレートにレーザ光を照射して画像記録を行う画像記録装置として有用である。
【図面の簡単な説明】
【００６５】
【図１】実施形態に係る画像記録装置１の構成図
【図２】実施形態に係るドラム周辺の構成を示す斜視図
【図３】実施形態に係るフロントクランプユニットおよびフロント開閉板の要部を示す斜視図
【図４】実施形態に係るフロントクランプユニット５の開閉動作を示す拡大側面図
【図５】実施形態に係るリアクランプユニットの要部を示す斜視図
【図６】実施形態に係るリア開閉板の斜視図
【図７】実施形態に係るリア開閉板とカムローラとの位置関係を示す正面図
【図８】実施形態に係るリアクランプユニット６の開閉動作を示す拡大側面図
【図９】実施形態に係る画像記録装置の制御系のブロック図
【図１０】実施形態に係る画像記録装置の動作手順を示すフロー図
【図１１】実施形態に係る画像記録装置の動作手順を示すフロー図
【図１２】実施形態に係る画像記録装置の動作手順を示すフロー図
【図１３】実施形態に係る画像記録装置の動作手順を示すフロー図
【図１４】動作モード１における刷版Ｐの搬送動作要領を示す説明図
【図１５】動作モード１における刷版Ｐの搬送動作要領を示す説明図
【図１６】動作モード１における刷版Ｐの搬送動作要領を示す説明図
【図１７】動作モード１における刷版Ｐの搬送動作要領を示す説明図
【図１８】動作モード１における刷版Ｐの搬送動作要領を示す説明図
【図１９】動作モード１における刷版Ｐの搬送動作要領を示す説明図
【図２０】動作モード２における刷版Ｐの搬送動作要領を示す説明図
【図２１】動作モード２における刷版Ｐの搬送動作要領を示す説明図
【図２２】動作モード２における刷版Ｐの搬送動作要領を示す説明図
【図２３】動作モード２における刷版Ｐの搬送動作要領を示す説明図
【図２４】動作モード３における刷版Ｐの搬送動作要領を示す説明図
【図２５】動作モード３における刷版Ｐの搬送動作要領を示す説明図
【図２６】動作モード３における刷版Ｐの搬送動作要領を示す説明図
【図２７】動作モード３における刷版Ｐの搬送動作要領を示す説明図
【図２８】動作モード３における刷版Ｐの搬送動作要領を示す説明図
【図２９】動作モード３における刷版Ｐの搬送動作要領を示す説明図
【符号の説明】
【００６６】
１  画像記録装置
２  ドラム
５  フロントクランプユニット
６  リアクランプユニット
７  プレスローラ
８  フロント開閉板
９  リア開閉板
１１  挿入台
１２  給版台
１３  排版台
２１  フロントクランプバー
２２  回動アーム
２３  カムローラ
２５ａ  カム面
４１  リアクランプバー
４２  回動アーム
４３  カムローラ
５１ａ  カム面
５１ｂ  カム面
Ｐ  刷版
Ｐａ  前端部
Ｐｂ  後端部
【図１】
2010173108.tif 000003
【図２】
2010173108.tif 000004
【図３】
2010173108.tif 000005
【図４】
2010173108.tif 000006
【図５】
2010173108.tif 000007
【図６】
2010173108.tif 000008
【図７】
2010173108.tif 000009
【図８】
2010173108.tif 000010
【図９】
2010173108.tif 000011
【図１０】
2010173108.tif 000012
【図１１】
2010173108.tif 000013
【図１２】
2010173108.tif 000014
【図１３】
2010173108.tif 000015
【図１４】
2010173108.tif 000016
【図１５】
2010173108.tif 000017
【図１６】
2010173108.tif 000018
【図１７】
2010173108.tif 000019
【図１８】
2010173108.tif 000020
【図１９】
2010173108.tif 000021
【図２０】
2010173108.tif 000022
【図２１】
2010173108.tif 000023
【図２２】
2010173108.tif 000024
【図２３】
2010173108.tif 000025
【図２４】
2010173108.tif 000026
【図２５】
2010173108.tif 000027
【図２６】
2010173108.tif 000028
【図２７】
2010173108.tif 000029
【図２８】
2010173108.tif 000030
【図２９】
2010173108.tif 000031